(57)【要約】【課題】局部洗浄機能を有する便器装置において、ノズルの高圧洗浄を可能としながらも装置の大型化が抑えられるようにする。【解決手段】ノズル洗浄水を局部洗浄後のノズル２１に向けて噴出するノズル洗浄部２２を備え、水道水よりも高圧に加圧されたノズル洗浄水を便器装置１の外部から導入するためのノズル洗浄水管路接続部１７が、ボウル部洗浄及び局部洗浄用の水道水を便器装置１の外部から導入するための水道水管路接続部１６から独立して設けられている。【選択図】図１
2016138362.tif 000002
【特許請求の範囲】
【請求項１】
局部洗浄時にはノズル収容部からノズルを便座下に進出させ局部に向けて温水を噴出させる局部洗浄装置を備えた便器装置において、
局部洗浄後の前記ノズルに向けてノズル洗浄水を噴出するノズル洗浄部を備え、
水道水よりも高圧に加圧されたノズル洗浄水を便器装置の外部から導入するためのノズル洗浄水管路接続部が、ボウル部洗浄及び局部洗浄用の水道水を便器装置の外部から導入するための水道水管路接続部から独立して設けられていることを特徴とする便器装置。
【請求項２】
施設内に請求項１に記載の便器装置を複数備え、その各々に前記水道水よりも高圧に加圧されたノズル洗浄水を一元給水する共通の加圧設備が設けられていることを特徴とする便器装置システム。
【請求項３】
請求項２に記載の便器装置システムにおいて、
前記複数の便器装置と前記共通の加圧設備とが水道水管路から独立したノズル洗浄水管路によって接続されていることを特徴とする便器装置システム。
【請求項４】
請求項２又は３に記載の便器装置システムにおいて、
前記複数の便器装置を監視して前記共通の加圧設備を作動させる設備制御装置が更に設けられていることを特徴とする便器装置システム。
【発明の詳細な説明】
【技術分野】
【０００１】
本発明は、局部洗浄時にはノズル収容部からノズルを便座下に進出させ局部に向けて温水を噴出させる局部洗浄装置を備えた便器装置に関する。
【背景技術】
【０００２】
前記のような便器装置では汚物等によってノズルが汚れることがある。従来そのように汚れたノズルの洗浄は手作業で行っていたが、近年それを自動的に行えるようにした便器装置も開発、市販されている。ノズルの自動洗浄に係る従来技術の例としては、例えば次の特許文献１等がある。すなわち特許文献１には、便器装置に設けられた局部洗浄装置はノズルの伸縮軌跡上に洗浄部構成部材が配設され、該部材から洗浄水を噴出させてノズルの表面を洗浄することが記載されている。
【先行技術文献】
【特許文献】
【０００３】
【特許文献１】特開２００２−２７５９９３号公報
【発明の概要】
【発明が解決しようとする課題】
【０００４】
前記特許文献１に記載されている構成では水道水圧で噴出された洗浄水によってノズルを洗浄するようになっている。しかし水道水圧はそれほど高くないため粘着性を有する汚物等に対しては充分な洗浄効果が得難いという問題がある。このような場合でも充分な洗浄効果が得られる方法としては、洗浄水によってノズルを高圧洗浄することが考えられる。ところが高圧洗浄では洗浄水を加圧ポンプによって加圧する必要があり、そのような加圧ポンプを便器装置の内部に設けると、便器装置が大型化してしまうことが予想される。本発明はこのような考察によってなされたものであり、ノズルの高圧洗浄を可能としながらも装置の大型化が抑えられる便器装置及び便器装置システムを提供することを目的としている。
【課題を解決するための手段】
【０００５】
本発明による便器装置は、局部洗浄時にはノズル収容部からノズルを便座下に進出させ局部に向けて温水を噴出させる局部洗浄装置を備えた便器装置において、局部洗浄後の前記ノズルに向けてノズル洗浄水を噴出するノズル洗浄部を備え、水道水よりも高圧に加圧されたノズル洗浄水を便器装置の外部から導入するためのノズル洗浄水管路接続部が、ボウル部洗浄及び局部洗浄用の水道水を便器装置の外部から導入するための水道水管路接続部から独立して設けられていることを特徴とする。
【０００６】
また本発明による便器装置システムは前記便器装置を複数備え、その各々に前記水道水よりも高圧に加圧されたノズル洗浄水を一元給水する共通の加圧設備が設けられていることを特徴とする。
【発明の効果】
【０００７】
本発明ではノズル洗浄水を加圧するための加圧ポンプを便器装置内に設けず、便器装置の外部で水道水よりも高圧に加圧されたノズル洗浄水を、ノズル洗浄水管路接続部を通じて導入するようにしている。そのためノズルの高圧洗浄を可能としながらも便器装置の大型化が抑えられる。
【０００８】
また本発明ではノズル洗浄水を複数の便器装置に一元給水する共通の加圧設備を設けているので、システム全体で加圧設備に要するコストが抑えられる。
【図面の簡単な説明】
【０００９】
【図１】本発明の実施形態の一例とされる便器装置の具体的な構成を示す縦断面図である。
【図２】（ａ）〜（ｃ）はノズルの進退位置を異ならせた同一の局部洗浄装置の縦断面図である。
【図３】（ａ）、（ｂ）はノズルの進退位置を異ならせたノズル洗浄時における局部洗浄装置の縦断面図である。
【図４】前記便器装置を複数備えて構成された便器装置システムの一例を示すシステム構成図である。
【図５】前記便器装置システムの基本動作の一例を示すタイムチャートである。
【発明を実施するための形態】
【００１０】
図１は本発明の実施形態の一例とされる便器装置の具体的な構成を示す縦断面図である。便器装置は水道からの直接給水を制御する電気式給水弁と、電動によって排水を制御する電動排水トラップとを備えた洋式タンクレスのものとしている。しかし本発明はタンクレス便器装置のみでなくタンク式便器装置にも同様に適用できる。
【００１１】
便器装置１はボウル部１０を収容する本体外殻部１１と、便座１２と、便蓋１３と、給水路系統の主要部を収容する上部筐体１４を備えている。便座１２及び便蓋１３は上部筐体１４の前方にヒンジ固定されている。本体外殻部１１、便座１２、便蓋１３、上部筐体１４は樹脂等で形成するとよい。
【００１２】
ボウル部１０は化学安定性に優れる樹脂、陶磁器あるいはホウロウ等からなり本体外殻部１１の上面に開口部１０ａが配され底面後部に排水口１０ｂが形成されている。
【００１３】
電動排水トラップ１５はボウル部１０の排水口１０ｂの後方に設けられている。電動排水トラップ１５は樹脂等の柔軟素材からなるトラップ管１５ａの開放端１５ｂを電動で上下移動させて排水制御する仕組みのものである。トラップ管１５ａは汚水の飛散を防止するために気密容器１５ｃに収容されている。気密容器１５ｃの下部開口は下水管（図示なし）に接続される。
【００１４】
上部筐体１４の内側にはボウル部洗浄及び局部洗浄用の水道水を便器装置１の外部から導入するための水道水管路接続部１６と、水道水よりも高圧に加圧されたノズル洗浄水を便器装置１の外部から導入するためのノズル洗浄水管路接続部１７とが独立して設けられている。水道水管路接続部１６とボウル部１０との間の給水路には、電磁弁１８、流量計１９、剤タンク及び剤ポンプ２０等が設けられている。
【００１５】
また上部筐体１４の内側には局部を洗浄する局部洗浄装置２１が収容されている。局部洗浄装置２１は、待機中はノズル収容部２１ａにノズル２１ｂを収容し、局部洗浄時にはノズル２１ｂを便座１２下に進出させ局部に向けて温水を噴出させて局部洗浄するものである。局部洗浄装置２１は水道水管路接続部１６に接続されており、その給水路には電磁弁や水道水を加熱するヒータ等が設けられる（図示なし）。
【００１６】
局部洗浄装置２１には局部洗浄後のノズル２１ｂに向けてノズル洗浄水を噴出するノズル洗浄部２２が付設されている。ノズル洗浄水管路接合部１７とノズル洗浄部２２との間の給水路は金属チューブ又は樹脂高圧ホース等で構成され、その経路中にノズル洗浄水の噴出を制御する電磁弁２３が設けられている。
【００１７】
便器装置１の基本動作は従来と略同様である。すなわち便器装置１の使用後に排水操作がなされると水道水管路接続部１６より導入された水道水がボウル部１０に注水され、同時に電動排水トラップ１５が作動してボウル部１０の汚水が排水される。その排水後一定時間はボウル部１０への注水が継続されボウル部１０に溜め水が溜められる。また局部洗浄操作がなされると、ノズル２１ｂを前進させ局部に向けて温水シャワーを噴出させて局部洗浄する。この温水は水道水管路接続部１６から導入された水道水をヒータによって加熱したものである。そして局部洗浄の後はノズルを後退させ、その後退の途中、ノズル洗浄部２２からノズル洗浄水を噴出させてノズル２１ｂを高圧洗浄する。このノズル洗浄水は、便器装置１の外部で水道水よりも高圧に加圧されてノズル洗浄水管路接続部１７から導入されたものである。
【００１８】
このように本実施形態では局部洗浄後のノズル２１ｂをノズル洗浄水によって高圧洗浄するので、粘着性を有する汚物であっても少量のノズル洗浄水で効率的に除去できる。また本実施形態ではノズル洗浄水を加圧するための加圧ポンプを便器装置１内に設けず、便器装置１の外部で水道水よりも高圧に加圧されたノズル洗浄水を、ノズル洗浄水管路接続部１７を通じて導入するようにしている。そのためノズル２１ｂの高圧洗浄を可能としながらも便器装置１の大型化が抑えられる。
【００１９】
図２（ａ）〜（ｃ）はノズルの進退位置を異ならせた同一の局部洗浄装置の縦断面図である。すなわち図２（ａ）はノズル２１ｂが収容位置にあり、図２（ｂ）はノズル２１ｂがビデ洗浄位置にあり、図２（ｃ）はノズル２１ｂがお尻洗浄位置にある。
【００２０】
図２（ａ）等に示すように、局部洗浄装置２１は、ノズルを進退可能に収容するノズル収容部２１ａと、ノズル２１ｂと、ノズル２１ｂを進退させるギヤ部２１ｃとで構成されている。
【００２１】
ノズル２１ｂはノズルカバー２１ｄと、ノズルカバー２１ｄの内側で進退されるノズル本体２１ｅとからなる。ノズルカバー２１ｄは先端が閉じた樹脂又は金属の筒体であり、その先端部の上面にはノズル孔２１ｆが形成され、下面には長手方向にラックギヤ２１ｇが形成されている。
【００２２】
ノズル本体２１ｅは、ノズルカバー２１ｄに適合する外径とされ先端が閉じられた樹脂又は金属製の筒体である。ノズル本体２１ｅの先端部の上面にはビデ洗浄用水噴出部２１ｈとお尻洗浄用水噴出部２１ｉとが設けられ、その内側には水噴出部の各々に温水を輸送するホース部材２１ｊが挿通されている。水噴出部２１ｈ、２１ｉの各々には水噴出孔が形成されており、対応したホース部２１ｈに温水を送りこめば水噴射部２１ｈ又は２１ｉから温水シャワーとして噴出されるようになっている。なおビデ洗浄用水噴出部２１ｈとお尻洗浄用水噴出部２１ｉとでは水噴出孔の径や角度を異ならせている。
【００２３】
ノズル本体２１ｅの後部の上面には突出部２１ｋが形成されている。突出部２１ｋはノズルカバー２１ｄの後部の上面に形成されたガイド溝２１ｍを抜けて上方に突出している。ガイド溝２１ｍはノズル本体２１ｅのノズルカバー２１ｄに対する進退移動の範囲を規制する。すなわちガイド溝２１ｍの前縁はノズル本体２１ｅが前進したとき突出部２１ｋに対するストッパーとして機能し、ガイド溝２１ｍの後縁はノズル本体２１ｅが後退したとき突出部２１ｋに対するストッパーとして機能する。又ガイド溝２１ｍはノズル本体２１ｅの軸回りの回動を防止する役割もある。ノズル本体２１ｅの下面には２つの凹所２１ｎ、２１ｎが設けられ、ノズルカバー２１ｄの内側下面には凹所２１ｎに選択的かつ弾性的に嵌合する凸部２１ｐが設けられている。凹所２１ｎ、２１ｎはノズル本体２１ｅをノズルカバー２１ｄに対して位置決め保持するためのものである。すなわち凹所２１ｎ、２１ｎの一方はノズル本体２１ｅの突出部２１ｋがノズルカバー２１ｄのガイド溝２１ｍの前縁に当接した状態を保持するためのものであり、他方はノズル本体２１ｅの突出部２１ｋがノズルカバー２１ｄのガイド溝２１ｍの後縁に当接した状態を保持する。なおビデ洗浄用水噴出部２１ｈは、ノズル本体２１ｅの突出部２１ｋがノズルカバー２１ｄのガイド溝２１ｍの前縁に当接しているときにノズル孔２１ｆの直下にくるようにノズル本体２１ｅに固定されている（図２（ｂ）参照）。これに対しお尻洗浄用水噴出部２１ｉは、ノズル本体２１ｅの突出部２１ｋがノズルカバー２１ｄのガイド溝２１ｍの後縁に当接しているときにノズル孔２１ｆの直下にくるようにノズル本体２１ｅに固定されている（図２（ｃ）参照）。
【００２４】
ノズル収容部２１ａは先端が開いた樹脂又は金属の筒体であり、その先端部の内側上面には下方に向けてノズル洗浄水を噴出するノズル洗浄部２２が設けられている。ノズル洗浄部２２は、金属チューブ又は樹脂高圧ホースと電磁弁とを介してノズル洗浄水管路接続部１７に通じている（図１参照）。ノズル収容部２１ａのノズル洗浄部２２よりも先端側は内径を幾分拡げてノズル洗浄後のノズル洗浄水や汚物を排出しやすくしてもよい。ノズル収容部２１ａの上面にはノズル本体２１ｅの突出部２１ｋを上方に突出させるガイド溝２１ｑが長手方向に形成されている。ガイド溝２１ｑはノズル収容部２１ａに対するノズル本体２１ｅの進退移動の範囲を規制する。すなわちガイド溝２１ｑの前縁は局部洗浄のためにノズル２１ｂを前進させたときノズル本体２１ｅの突出部２１ｋに対するストッパーとして機能し、ガイド溝２１ｑの後縁はノズル２１ｂを収容するための後退させたときにノズル本体２１ｅの突出部２１ｋに対するストッパーとして機能する。又ガイド溝２１ｑはノズル２１ｂの軸回りの回動を防止する役割もある。
【００２５】
ギヤ部２１ｃはノズル収容部２１ａを支持する側面視して三角形の台座として形成されている。ギヤ部２１ｃでは、ラックギヤ２１ｇに対応するピニオンギヤ２１ｑと、複数の平ギヤ２１ｒ、２１ｒと、モーター（図示なし）に連結された駆動ギヤ２１ｓとを組み合わせた動力伝達機構が構成されている。図２（ａ）に矢印で示す方向に駆動ギヤ２１ｓが回動されたときにはその回動が平ギヤ２１ｒ、２１ｒ、ピニオンギヤ２１ｑを介してラックギヤ２１ｇまで伝達されてノズル２１ｂが前進する。
【００２６】
図２（ａ）は便器装置の待機中の状態を示しており、ノズル収容部２１ａに収容されている。図２（ａ）ではノズル本体２１ｅの突出部２１ｋはノズルカバー２１ｄのガイド溝２１ｑの前縁に当接し、更にノズル収容部２１ａのガイド溝２１ｑの後縁にも当接している。そのためノズル２１ｂを更に後退させることはできない。
【００２７】
図２（ｂ）はビデ洗浄時の状態を示しており、ノズル２１ｂはノズル収容部２１ａから突出されている。図２（ａ）の状態からギヤ部２１ｃを作動させてノズル２１ｂを前進させると、ノズル２１がビデ洗浄位置まで前進したときに突出部２１ｋがノズル収容部２１ａのガイド溝２１ｑの前縁に当接する。その時点でギヤ部２１ｃを停止させれば図２（ｂ）の状態になる。このときビデ洗浄用水噴出部２１ｈがノズルカバー２１ｄのノズル孔２１ｆの直下にあるので、対応するホース部材２１ｊに温水を送り込めばノズル２１ｂからビデ洗浄用シャワーが噴出される。ビデ洗浄後にギヤ部２１ｃを作動させてノズル２１ｂを後退させていけば図２（ａ）の状態に戻る。ノズル洗浄水によるノズル洗浄はその後退の途中で行うとよい。
【００２８】
図２（ｃ）はお尻洗浄時の状態を示しており、ノズル２１ｂはビデ洗浄時よりも更に突出されている。図２（ｂ）の状態から更にギヤ部２１ｃを作動させるとノズル本体２１ｅは不動のままノズルカバー２１ｄのみが前進し、最終的にはノズルカバー２１ｄのガイド溝２１ｑの後縁がノズル本体２１ｅの突出部２１ｋに当接して図２（ｃ）の状態になる。このときお尻洗浄用水噴出部２１ｉがノズルカバー２１ｄのノズル孔２１ｆの直下にくるので、対応するホース部材２１ｊに温水を送り込めばノズル２１ｂからお尻洗浄用シャワーが噴出される。お尻洗浄後にギヤ部２１ｃを作動させてノズル２１ｂを後退させていくと、まずノズル本体２１ｅの突出部２１ｋがノズル収容部２１ａのガイド溝２１ｑの後縁に当接する。ノズル洗浄水によるノズル洗浄はその後退の途中で行うとよい。その後更にギヤ部２１を作動させるとノズル本体２１ｅは不動のままノズルカバー２１ｄのみが後退して図２（ａ）の状態に戻る。
【００２９】
図３（ａ）、（ｂ）はノズルの進退位置を異ならせたノズル洗浄時における局部洗浄装置の縦断面図である。
【００３０】
図３（ａ）に示すノズル洗浄はビデ洗浄後に行われるものである。すなわち図２（ｂ）に示す状態からノズル２１ｂを後退させている途中の状態が図３（ａ）であり、ノズル洗浄はそのときにノズル洗浄部２２からノズル洗浄水を噴出させることでなされる。ノズル洗浄水は便器装置の外部で水道水よりも高圧に加圧されてから便器装置に供給されるので、便器装置ではノズル洗浄部２２に通じる電磁弁を開弁制御するだけでノズル２１ｂを高圧洗浄できる。このときノズルカバー２１ｄのノズル孔２１ｆの直下にはビデ洗浄用水噴出部２１ｈがあるので、このノズル洗浄によりビデ洗浄用水噴出部２１ｈの水噴出孔の近傍も洗浄される。高圧洗浄によってビデ洗浄用水噴出部２１ｈの水噴出孔にノズル洗浄水が滲入することも考えられる。そのため高圧洗浄中はビデ洗浄用水噴出部２１ｈから水又は温水を噴出させることで、ビデ洗浄用水噴出部２１ｈに滲入したノズル洗浄水を排出させるとよい。またノズル洗浄中はノズル洗浄部２２の直下でノズル２１ｂを往復移動させてもよく、そうすれば汚物をより効果的に除去できる。その後ノズル２１ｂを更に後退させれば図２（ａ）に示す状態に戻る。
【００３１】
図３（ｂ）に示すノズル洗浄はお尻洗浄後に行われるものである。すなわち図２（ｃ）に示す状態からノズル２１ｂを後退させている途中の状態が図３（ｂ）であり、ノズル洗浄はその途中の状態でノズル洗浄部２２からノズル洗浄水を噴出させることでなされる。このときノズルカバー２１ｄのノズル孔２１ｆの直下にはお尻洗浄用水噴出部２１ｉがあるので、このノズル洗浄によりお尻洗浄用水噴出部２１ｉの水噴出孔の近傍も洗浄される。その後ノズル２１ｂを更に後退させれば最終的には図２（ａ）に示す状態に戻る。なおノズル洗浄は局部洗浄後に限定されることはなく、ビデ洗浄又はお尻洗浄のためにノズル２１ｂを前進させる途中で行ってもよい。
【００３２】
図４は前記便器装置を複数備えて構成された便器装置システムの一例を示すシステム構成図である。このような個室の各々に便器装置１を備えたトイレルーム２は一般施設等に多く採用されている。便器装置システム３には、水道水よりも高圧に加圧されたノズル洗浄水（水道水）を一元給水する共通の加圧設備４が設けられている。このとき複数の便器装置１によって１つの加圧設備４が共用されるのでシステム全体で加圧設備に要するコストが抑えられる。なおノズル洗浄水管路５をなす管材としては、ステンレス、銅等からなる金属チューブ、あるいはフッ素樹脂等からなる樹脂高圧ホースを用いるとよい。
【００３３】
加圧設備４は水道水を加圧する加圧ポンプ４ａと、便器装置１を監視して加圧設備４を作動させる設備制御装置４ｂとを備えている。設備制御装置４ｂは伝送線８あるいは無線によって便器装置１の各々に接続されている。設備制御装置４ｂは加圧ポンプ４ａを常時作動させてもよいし、必要時のみ加圧ポンプ４ａを作動させてもよい。加圧ポンプ４ａの種別は特に制限されず、例えばネジ式、渦巻式、ギヤ式、ピストン式、プランジャー式、ロータリー式ポンプ等を用いることができる。水道水圧は概ね０．５ＭＰａ程度であるが、加圧ポンプ４ａの吐出圧力は３〜７ＭＰａ程度にすればよく、望ましくは４〜６ＭＰａにすればよい。このような吐出圧力とすればノズルに対する高圧洗浄の効果が充分に得られる。なお加圧ポンプ４ａの下流側にアンローダ又は調圧弁等（図示なし）を付設すればノズル洗浄水管路５に過大な圧力が掛からないようになり安全である。また塩素等の除菌剤をノズル洗浄水に混入させる薬剤ポンプ等（図示なし）を設けてもよく、そうすればノズル洗浄の際に除菌することも可能になる。
【００３４】
便器装置１と加圧設備４とを１系統の管路で接続し、加圧設備４で加圧された水道水をボウル部洗浄用、局部洗浄用、ノズル洗浄用に共用してもよい。そうした場合、配管コストは抑えられるが、複数の便器装置１が同時に使用されると消費水量が多くなるため加圧ポンプ４ａが大型化する可能性がある。これに対して図４に示すように便器装置１と共通の加圧設備４とを水道水管路６から独立したノズル洗浄水管路５によって接続してもよい。このようなノズル洗浄水管路５を設ければ、加圧ポンプ４ａの加圧した洗浄水はノズル洗浄のみに使用されることになり加圧ポンプ４ａが小型化できる。なお管路５、６の端点毎に止水弁７を設けておくとメンテナンス等が楽に行える。
【００３５】
図５は前記便器装置システムの基本動作の一例を示すタイムチャートである。便器装置システムは便器装置Ａ〜Ｄと、便器装置Ａ〜Ｄにノズル洗浄水を一元給水する加圧設備とからなる。ここでは省エネ等を考慮し、設備制御装置は便器装置Ａ〜Ｄからノズル洗浄信号を受ける毎に給水タイマを再セットして、その給水タイマがタイムアップするまでの間加圧ポンプを作動させる基本動作をするように構成されていると想定する。
【００３６】
タイムチャートでは複数の便器装置Ａ〜Ｄの局部洗浄動作及びノズル洗浄動作と、加圧設備の基本動作、具体的には設備制御装置を構成する給水タイマの計時動作と、加圧ポンプの制御動作とを示している。
【００３７】
基本動作としてまず便器装置Ａのみが使用された場合を説明する。時刻Ｔ１、Ｔ２に便器装置Ａにおいて局部洗浄とノズル洗浄とが行われている。時刻Ｔ２に便器装置Ａからノズル洗浄信号が伝送され、それを受けて設備制御装置は給水タイマをセットしている。給水タイマはセットされてから所定時間ΔＴが経過すればタイムアップするように構成されており、時刻Ｔ３にタイムアップしている。設備制御装置は、給水タイマがセットされてからタイムアップするまでの期間Ｔ２〜Ｔ３に加圧ポンプの作動信号を出力している。
【００３８】
次いでより一般的な動作として複数の便器装置Ｂ〜Ｄが略同時に使用された場合について説明する。時刻Ｔ４、Ｔ６に便器装置Ｂにおいて局部洗浄、ノズル洗浄が行われ、時刻Ｔ６に便器装置Ｂからノズル洗浄信号が伝送されている。これを受けて設備制御装置は給水タイマをセットし、給水タイマの計時が開始されている。時刻Ｔ５、Ｔ８に便器装置Ｄにおいて局部洗浄、ノズル洗浄が行われ、時刻Ｔ８に便器装置Ｄからノズル洗浄信号が伝送されている。時刻Ｔ８には給水タイマは計時中であるが、便器装置Ｃからのノズル洗浄信号を受けて再セットされている。時刻Ｔ７、Ｔ９に便器装置Ｃにおいて局部洗浄、ノズル洗浄が行われ、時刻Ｔ９に便器装置Ｃからノズル洗浄信号が伝送されている。時刻Ｔ８には給水タイマは計時中であるが、便器装置Ｃからのノズル洗浄信号を受けて再セットされている。時刻Ｔ１０に給水タイマは時刻Ｔ９に開始された計時をタイムアップしている。設備制御装置は、給水タイマが最初にセットされてからタイムアップするまでの期間Ｔ６〜Ｔ１０に加圧ポンプの作動信号を出力している。このように給水タイマの計時中に給水タイマが再セットされると、その時点から計時が再スタートされることになるので、加圧ポンプの作動は再セットの時点で途切れずに延長される。
【００３９】
この前記フローチャートで説明したように便器装置のノズル洗浄のときのみ加圧ポンプを作動させれば、加圧ポンプの作動時間が短くなり電力消費が抑えられる。
【符号の説明】
【００４０】
１      便器装置
１６    水道水管路接続部
１７    ノズル洗浄水管路接続部
２１    局部洗浄装置
２１ａ  ノズル収容部
２１ｂ  ノズル
２２    ノズル洗浄部
４      加圧設備
４ａ    加圧ポンプ
４ｂ    設備制御装置
５      ノズル洗浄水管路
６      水道水管路
【図１】
2016138362.tif 000003
【図２】
2016138362.tif 000004
【図３】
2016138362.tif 000005
【図４】
2016138362.tif 000006
【図５】
2016138362.tif 000007